(57)【要約】  対象者の一連のＴ２強調画像を取得する段階；前記対象者の一連のＴ２＊強調画像を取得する段階；及び前記対象者の前記Ｔ２強調画像と前記対象者の前記Ｔ２＊強調画像との両方に基づいて、前記対象者内の磁性剤で標識付けられた細胞の定量的評価を示す値を生成する段階；を含む、対象者内の磁性剤で標識付けられた細胞の定量的評価。生成する段階は更に、（ｉ）Ｒ２と、細胞内の前記磁性剤で標識付けられた濃度と、（ｉｉ）Ｒ２＊と、細胞内の前記磁性剤で標識付けられた濃度と、（ｉｉｉ）Ｒ２と、細胞外の前記磁性剤で標識付けられた濃度と、（ｉｖ）Ｒ２＊と、細胞外の前記磁性剤で標識付けられた濃度と、の間の所定の関係（２６）に更に基づいていても良い。前記所定の関係は、種々の濃度の実質的に混じり気のない細胞内の前記磁性剤を有し、種々の濃度の実質的に混じり気のない細胞外の前記磁性剤を有しする、複数の、較正のためのファントムのＲ２及びＲ２＊測定に基づいて作り出されても良い。
2012521244.tif 000002
【特許請求の範囲】
【請求項１】
対象者の一連のＴ２強調画像を取得する、第１取得段階；
前記対象者の一連のＴ２＊強調画像を取得する、第２取得段階；及び
前記対象者の前記Ｔ２強調画像と前記対象者の前記Ｔ２＊強調画像との両方に基づいて、前記対象者内の磁性剤で標識付けられた細胞の定量的評価を示す値を生成する、第１生成段階；
を含む、対象者内の磁性剤で標識付けられた細胞の定量的評価のための方法。
【請求項２】
数値表示、グラフ表示、機械発生式音声表現、又は前記対象者内の前記磁性剤で標識付けられた前記細胞の定量的評価を示す値に関する、人間が知覚できる、他の表現を出力する段階、
を更に含む、請求項１に記載の対象者内の磁性剤で標識付けられた細胞の定量的評価のための方法。
【請求項３】
前記出力する段階は、
前記対象者の画像を出力する段階；及び
該画像を、前記対象者内の前記磁性剤で標識付けられた前記細胞の定量的評価を示す値に関する色分けされたマップで覆う段階；
を含む、請求項２に記載の対象者内の磁性剤で標識付けられた細胞の定量的評価のための方法。
【請求項４】
前記対象者に細胞を投与する段階であって、前記細胞は、超常磁性酸化鉄剤で標識付けられる、投与する段階、
を更に含む、請求項１乃至３のいずれか一項に記載の対象者内の磁性剤で標識付けられた細胞の定量的評価のための方法。
【請求項５】
前記第１取得段階は、前記対象者のＲ２マップを取得する、第３取得段階を含み；
前記第２取得段階は、前記対象者のＲ２＊マップを取得する、第４取得段階を含み；かつ、
第１生成段階の工程は、前記対象者の前記Ｒ２マップ及び前記Ｒ２＊マップの両方に基づいて、前記対象者内の前記磁性剤で標識付けられた前記細胞の定量的評価を示す値を生成する、第２生成段階を含む、
請求項１乃至４のいずれか一項に記載の対象者内の磁性剤で標識付けられた細胞の定量的評価のための方法。
【請求項６】
前記第３取得段階は、スピンエコーシーケンスを使用して、前記対象者の画像を取得する段階を含む、
請求項５に記載の対象者内の磁性剤で標識付けられた細胞の定量的評価のための方法。
【請求項７】
前記第４取得段階は、グラディエントエコーシーケンスを使用して、前記対象者の画像を取得する段階を含む、
請求項５又は６に記載の対象者内の磁性剤で標識付けられた細胞の定量的評価のための方法。
【請求項８】
第２生成段階は更に、細胞内の前記磁性剤及び細胞外の前記磁性剤に関する、基準Ｒ２緩和曲線及び基準Ｒ２＊緩和曲線を含む、較正データに基づいている、
請求項５乃至７のいずれか一項に記載の対象者内の磁性剤で標識付けられた細胞の定量的評価のための方法。
【請求項９】
前記第２生成段階は更に、
Ｒ２値と、実質的に細胞外の前記磁性剤を有さない、細胞内の前記磁性剤に関する細胞内の磁性剤濃度と、の関係、
Ｒ２＊値と、実質的に細胞外の前記磁性剤を有さない、細胞内の前記磁性剤に関する細胞内の磁性剤濃度と、の関係、
Ｒ２値と、実質的に細胞内の前記磁性剤を有さない、細胞外の前記磁性剤に関する細胞外の磁性剤濃度と、の関係、及び
Ｒ２＊値と、実質的に細胞内の前記磁性剤を有さない、細胞外の前記磁性剤に関する細胞外の磁性剤濃度と、の関係、
を含む較正データに基づいている、
請求項５乃至７のいずれか一項に記載の対象者内の磁性剤で標識付けられた細胞の定量的評価のための方法。
【請求項１０】
種々の濃度の、実質的に混じり気なく細胞内の前記磁性剤を有し、かつ、種々の濃度の、実質的に混じり気なく細胞外の前記磁性剤を有する、複数の、較正のためのファントムに関する、Ｒ２及びＲ２＊測定に基づいて、前記較正データを生成する段階：
を更に含む、請求項８又は９に記載の対象者内の磁性剤で標識付けられた細胞の定量的評価のための方法。
【請求項１１】
前記較正のためのファントムは、
（ｉ）少なくとも３つの異なる濃度の、実質的に混じり気なく細胞内の前記磁性剤を有する、少なくとも３つの前記較正のためのファントム、及び、
（ｉｉ）少なくとも３つの異なる濃度の、実質的に混じり気なく細胞外の前記磁性剤を有する、少なくとも３つの前記較正のためのファントム、
を含む、請求項１０に記載の対象者内の磁性剤で標識付けられた細胞の定量的評価のための方法。
【請求項１２】
前記較正データに更に基づいた、前記第２生成段階は、
前記対象者のＲ２マップと前記対象者のＲ２＊マップとの両方に基づき、更に前記較正データに基づいて、細胞内の磁性剤濃度を推定する段階；及び
該細胞内の磁性剤濃度を、前記の磁気的に標識付けられた細胞の前記磁性剤量に基づいて、細胞濃度に変換する段階；
を含む、請求項８乃至１１のいずれか一項に記載の対象者内の磁性剤で標識付けられた細胞の定量的評価のための方法。
【請求項１３】
前記第１生成段階は、
前記対象者のＴ２強調画像と前記対象者のＴ２＊強調画像との両方に基づき、かつ、細胞外の前記磁性剤に関する、Ｒ２とＲ２＊との間の所定の相対的類似性及び細胞内の前記磁性剤に関する、Ｒ２とＲ２＊との間の所定の相対的な非類似性に基づいて、
前記対象者内の前記磁性剤で標識付けられた前記細胞の定量的評価を示す値を生成する、
請求項１乃至１２のいずれか一項に記載の対象者内の磁性剤で標識付けられた細胞の定量的評価のための方法。
【請求項１４】
請求項１乃至１３のいずれか一項に記載の方法を実行するよう構成された、磁気共鳴イメージングシステム。
【請求項１５】
磁気共鳴イメージングシステムに、請求項１乃至１３のいずれか一項に記載の方法を実行させることを実行可能にする命令を記憶している、デジタル記憶媒体。
【請求項１６】
磁気共鳴イメージングシステム；及び
該磁気共鳴イメージングシステムに、Ｔ２強調画像及びＴ２＊強調画像の両方を取得させるよう構成され、前記Ｔ２強調画像及び前記Ｔ２＊強調画像の両方に基づいて、対象者内の磁性剤で標識付けられた細胞の定量的評価を示す値を生成するよう更に構成された、処理装置；
を含む、対象者内の磁性剤で標識付けられた細胞の定量的評価のためのシステム。
【請求項１７】
前記処理装置は、前記Ｔ２強調画像と前記Ｔ２＊強調画像との両方に基づいて、前記対象者内の前記磁性剤で標識付けられた細胞の空間分布の定量的評価を示すマップを生成するよう構成される、請求項１６に記載の対象者内の磁性剤で標識付けられた細胞の定量的評価のためのシステム。
【請求項１８】
前記処理装置は、前記Ｔ２強調画像と前記Ｔ２＊強調画像との両方に基づいて、かつ、（ｉ）Ｒ２と、細胞内の前記磁性剤で標識付けられた濃度と、（ｉｉ）Ｒ２＊と、細胞内の前記磁性剤で標識付けられた濃度と、（ｉｉｉ）Ｒ２と、細胞外の前記磁性剤で標識付けられた濃度と、（ｉｖ）Ｒ２＊と、細胞外の前記磁性剤で標識付けられた濃度と、の間の所定の関係に更に基づいて、前記対象者内の前記磁性剤で標識付けられた細胞の定量的評価を示す値を生成するよう構成される、請求項１６又は１７に記載の対象者内の磁性剤で標識付けられた細胞の定量的評価のためのシステム。
【請求項１９】
前記処理装置は、前記Ｔ２強調画像と前記Ｔ２＊強調画像との両方に基づいて、かつ、（ｉ）細胞外の前記磁性剤に関する、Ｒ２とＲ２＊との間の比較的小さい相違及び（ｉｉ）細胞内の前記磁性剤に関する、Ｒ２とＲ２＊との間の比較的大きい相違の定量的情報に更に基づいて、前記対象者内の前記磁性剤で標識付けられた細胞の定量的評価を示す値を生成するよう構成される、請求項１６乃至１８のいずれか一項に記載の対象者内の磁性剤で標識付けられた細胞の定量的評価のためのシステム。
【請求項２０】
前記処理装置は、
Ｓ（ｔ）〜［ｉｎｔｒａ］×ｅｘｐ（−ｔ×Ｒ２（［ｉｎｔｒａ］））＋［ｅｘｔｒａ］×ｅｘｐ（−ｔ×Ｒ２（［ｅｘｔｒａ］））、及び
Ｓ（ｔ）〜［ｉｎｔｒａ］×ｅｘｐ（−ｔ×Ｒ２＊（［ｉｎｔｒａ］））＋［ｅｘｔｒａ］×ｅｘｐ（−ｔ×Ｒ２＊（［ｅｘｔｒａ］））、
の関係を少なくとも近似的に解くことにより、
前記Ｔ２強調画像及び前記Ｔ２＊強調画像の両方に基づいて、前記対象者内の前記磁性剤で標識付けられた細胞の定量的評価を示す値を生成するよう構成される、請求項１６乃至１９のいずれか一項に記載の対象者内の磁性剤で標識付けられた細胞の定量的評価のためのシステム。
（式中、［ｉｎｔｒａ］及び［ｅｘｔｒａ］は、各々、細胞内及び細胞外の標識付けする磁性剤の濃度であり、
Ｒ２（［ｉｎｔｒａ］）及びＲ２＊（［ｉｎｔｒａ］）は細胞内の磁性剤に関する実質的に混じり気のないサンプルから得られた基準緩和曲線であり、
Ｒ２（［ｅｘｔｒａ］）及びＲ２＊（［ｅｘｔｒａ］）は細胞外の磁性剤に関する実質的に混じり気のないサンプルから得られた基準緩和曲線である）
【発明の詳細な説明】
【技術分野】
【０００１】
本発明は、医術、磁気共鳴技術及び関連技術に関する。
【背景技術】
【０００２】
幹細胞治療といった、対象者に生体細胞投与を伴う従来の技術は、対象者内の細胞の分布に必然的に敏感である。対象者内の細胞の分布を評価するための従来の方法は、超常磁性酸化鉄（ＳＰＩＯ）といった磁性剤で細胞に標識を付け、磁気共鳴（ＭＲ）イメージングを使用して対象者を撮像することである。従来の幹細胞治療のアプローチにおいて、幹細胞は、ＳＰＩＯ試薬を含む媒体中で培養される。培養後、細胞は、細胞外のＳＰＩＯ試薬を除去するよう処理され、その後、対象者に投与される。対象者の中で、ＳＰＩＯ試薬は、ＳＰＩＯで標識付けられた（ＳＰＩＯ−ｔａｇｇｅｄ）細胞の近辺で、磁場を撹乱し、磁気共鳴スピン緩和時間を減少させる。Ｔ２又はＴ２＊強調画像（又は、同等に、Ｒ２＝１／Ｔ２で、Ｒ２＊＝１／Ｔ２＊である、Ｒ２又はＲ２＊画像）は、したがって、ＳＰＩＯで標識付けられた細胞に関するコントラストを供する。
【発明の概要】
【発明が解決しようとする課題】
【０００３】
この技術は、定性的に効果的であるよう示されてきた。しかしながら、ＳＰＩＯで標識付けられた細胞の密度を定量するための試みが、うまくいっていない。Ｔ２及びＴ２＊信号は、細胞外のＳＰＩＯと比較すると、細胞内のＳＰＩＯの影響を別に受けるということが知られている。これは、細胞外のＳＰＩＯの不完全な除去又は細胞死の後の細胞外空間へのＳＰＩＯの放出が、ＳＰＩＯで標識付けられた細胞濃度に関する、信頼できる定量化を妨げているという推察につながる。出血、細胞壊死、細胞形態学及び帯電効果などといった他の要因も、可能性のある原因として引用されているが。Ｋｕｈｌｐｅｔｅｒ  ｅｔ  ａｌ．，  “Ｒ２  ａｎｄ  Ｒ２＊  Ｍａｐｐｉｎｇ  ｆｏｒ  Ｓｅｎｓｉｎｇ  Ｃｅｌｌ−ｂｏｕｎｄ  Ｓｕｐｅｒｐａｒａｍａｇｎｅｔｉｃ  Ｎａｎｏｐａｒｔｉｃｌｅｓ：  ＩｎＶｉｔｒｏ  ａｎｄ  Ｍｕｒｉｎｅ  ｉｎ  Ｖｉｖｏ  Ｔｅｓｔｉｎｇ”，  Ｒａｄｉｏｌｏｇｙ  ｖｏｌ．  ２４５  ｎｏ．  ２，  ｐｐ．  ４４９−５７（２００７）；  Ｒａｄ  ｅｔ  ａｌ．，  “Ｑｕａｎｔｉｆｉｃａｔｉｏｎ  ｏｆ  Ｓｕｐｅｒｐａｒａｍａｇｎｅｔｉｃ  Ｉｒｏｎ  Ｏｘｉｄｅ（ＳＰＩＯ）−Ｌａｂｅｌｅｄ  Ｃｅｌｌｓ  Ｕｓｉｎｇ  ＭＲＩ”，  Ｊｏｕｒｎａｌ  ｏｆ  Ｍａｇｎｅｔｉｃ  Ｒｅｓｏｎａｎｃｅ  Ｉｍａｇｉｎｇ  ｖｏｌ．  ２６  ｐｐ．  ３６６−７４（２００７）参照。
【課題を解決するための手段】
【０００４】
ここで実施例として示され、述べられたいくつかの説明的な実施形態に関して、方法は、対象者内の磁性剤で標識付けられた細胞の定量的評価に関して開示され、当該方法は、対象者の一連のＴ２強調画像を取得する段階；前記対象者の一連のＴ２＊強調画像を取得する段階；及び前記対象者の前記Ｔ２強調画像及び前記対象者の前記Ｔ２＊強調画像の両方に基づいて、前記対象者内の前記磁性剤で標識付けられた前記細胞の定量的評価を示す値を生成する段階；を含む。
【０００５】
ここで実施例として示され、述べられたいくつかの更なる説明的な実施形態に関して、直前の段落で前述された方法を実行するよう構成された磁気共鳴イメージングシステムが開示され、磁気共鳴イメージングシステムに、直前の段落で前述された方法を実行させることを実行可能にする命令を記憶している、デジタル記憶媒体が開示される。デジタル記憶媒体は、例えば、磁気ディスク、光ディスク、静電記憶装置、ランダムアクセスメモリ（ＲＡＭ）、読み出し専用メモリ（ＲＯＭ）などであっても良い。
【０００６】
ここで実施例として示され、述べられたいくつかの説明的な実施形態に関して、システムは、対象者内の磁性剤で標識付けられた細胞の定量的評価に関して開示され、当該システムは、磁気共鳴イメージングシステム；該磁気共鳴イメージングシステムに、前記対象者のＴ２強調画像及びＴ２＊強調画像の両方を取得させるように、かつ、前記Ｔ２強調画像及び前記Ｔ２＊強調画像の両方に基づいて、前記対象者内の前記磁性剤で標識付けられた細胞の定量的評価を示す値を生成するよう更に構成された、処理装置を含む。
【発明の効果】
【０００７】
ある効果は、ＭＲイメージングを使用して、磁性剤で標識付けられた細胞の分布又は密度のより正確な評価に存在する。
【０００８】
他の効果は、対象者への生体細胞投与を伴う、幹細胞治療といった、インターベンション技術の改良された評価に存在する。
【０００９】
更なる効果は、次の詳細な説明を読んで理解することで、当業者によって理解されるであろう。
【００１０】
図面は、好ましい実施形態を説明する目的のためだけであり、発明を制限するよう解釈されない。
【図面の簡単な説明】
【００１１】
【図１】図１は、磁気共鳴イメージングを使用した磁気的に標識付けられた細胞濃度の定量的評価のためのシステムを図式的に示す。
【図２】図２は、ファントム（ｐｈａｎｔｏｍｓ）から取得された、図１のシステムの使用のための、較正データを図式的に示す。
【図３】図３は、細胞内のＳＰＩＯ及び細胞外のＳＰＩＯの推定割合であって、これらの割合に関して理論値と比較された、推定割合を図式的に示す。
【発明を実施するための形態】
【００１２】
図１を参照するに、磁気共鳴（ＭＲ）イメージングシステムは、図示されたＡｃｈｉｅｖａＴＭ  ｍａｇｎｅｔｉｃ  ｒｅｓｏｎａｎｃｅ  ｓｃａｎｎｅｒ（Ｋｏｎｉｎｋｌｉｊｋｅ  Ｐｈｉｌｉｐｓ  Ｅｌｅｃｔｒｏｎｉｃｓ  Ｎ．Ｖ．，  Ｅｉｎｄｈｏｖｅｎ，  Ｔｈｅ  Ｎｅｔｈｅｒｌａｎｄｓから入手可能）又はＩｎｔｅｒａＴＭ若しくはＰａｎｏｒａｍａＴＭ  ｍａｇｎｅｔｉｃ  ｒｅｓｏｎａｎｃｅ  ｓｃａｎｎｅｒ（両方ともＫｏｎｉｎｋｌｉｊｋｅ  Ｐｈｉｌｉｐｓ  Ｅｌｅｃｔｒｏｎｉｃｓ  Ｎ．Ｖ．から入手可能）又は他の工業的に入手可能な磁気共鳴断層撮影装置又は非工業的な磁気共鳴断層撮影装置などといった、磁気共鳴断層撮影装置１０を含む。通常の実施形態において、磁気共鳴断層撮影装置は、静磁場（Ｂ０）を発生させる超伝導又は常伝導主磁石、静磁場上の選択された傾斜磁場を重ね合わせるための、傾斜磁場コイル巻線の組、磁気共鳴を発生させるために選択された周波数で、無線周波数電磁場（Ｂ１）を発生させるための、無線周波数励起システム（通常、１Ｈ磁気共鳴、胎盤（ｐｌａｃｅｎｔａ）に含まれる他の磁気共鳴原子核の励起も熟慮されるけれども）、及び対象者から放出された磁気共鳴信号を検出するための、１つの無線周波数受信コイル又は２、３、４、１６若しくはそれより多くの無線周波数受信コイルの配列を含む、無線周波数受信システムといった、（図示しない）内部コンポーネントを含む。
【００１３】
磁気共鳴断層撮影装置１０は、磁気共鳴励起、傾斜磁場により通常発生する空間符号化（ｓｐａｔｉａｌ  ｅｎｃｏｄｉｎｇ）及び磁気共鳴信号読み出しを規定する、磁気共鳴イメージングスキャンのシーケンスを実行するために、磁気共鳴制御モジュール１２により制御される。復元モジュール１４は、磁気共鳴イメージメモリー１６内に格納される、磁気共鳴イメージ又は空間地図を発生させるための、取得された磁気共鳴信号を再構築する。ある実施形態において、コンポーネント１２、１４、１６は、磁気共鳴断層撮影装置１０の製造業者及び／又は１つ以上の第３者のベンダーにより供される、例えば、図示されたコンピュータ１８の（図示しない）デジタル処理装置上で実行しているソフトウェアとして具体化された、汎用の工業用磁気共鳴イメージング製品である。さらに、コンポーネント１２、１４、１６の１つ以上又は全ては、特注の又はカスタマーモディファイされた（ｃｕｓｔｏｍｅｒ−ｍｏｄｉｆｉｅｄ）コンポーネントであっても良い。
【００１４】
定量的細胞濃度評価モジュール２０は、対象者内の標識付けられた細胞濃度又は該濃度の分布の、定量的評価を実行するための、磁気共鳴イメージングシステムを構成する。モジュール２０は、例えば、図示されたコンピュータ１８のデジタル処理装置上で実行するソフトウェアとして具体化されても良く、相互作用する別のデジタル処理装置として具体化されても良い。
【００１５】
従来、細胞外のＳＰＩＯ又は他の磁性剤を除去するための、洗浄又は他の処理は、細胞濃度を評価する目的のイメージングの間、細胞外の磁性剤を無視することができる十分な程度にまで、細胞外の磁性剤を除去するに十分であると一般的に仮定されてきた。しかしながら、ここで開示されるように、そのような処理の後に残っている細胞外の磁性剤は、通常、無視できず、ＳＰＩＯといった磁性造影剤の、細胞死の後の細胞外空間への放出は、ＭＲに基づく細胞濃度の定量的解析に、かなりの誤差も引き起こす。さらに、ここで開示された技術は、細胞内及び細胞外の磁性剤の先天的に知られた混合物を含む、ファントム（ｐｈａｎｔｏｍｓ）から取得された較正ＭＲデータと併せて、対象者からのＲ２及びＲ２＊（又は、同等に、Ｔ２及びＴ２＊）ＭＲデータの両方の測定に基づく標識付けられた細胞濃度のより正確な定量化を供する。
【００１６】
定量的細胞濃度評価モジュール２０は、ＭＲ制御モジュール１２と連絡する又は一部であり、ＭＲ断層撮影装置１０に、対象者又は細胞内磁性剤、細胞外磁性剤又は細胞内磁性剤及び細胞外磁性剤の混合物を含むファントムのＴ２強調画像及びＴ２＊強調画像の両方を取得させる、Ｔ２及びＴ２＊強調画像取得サブモジュール２２を含む。説明される実施形態において、対象者の一連のＴ２強調画像が取得され、対象者の一連のＴ２＊強調画像が取得され、Ｒ２及びＲ２＊マッピングサブモジュール２４は、各々の一連のＴ２及びＴ２＊強調画像に基づいて、対象者のＲ２マップ及びＲ２＊マップを生成する。
【００１７】
続けて図１を参照して、較正操作において、サブモジュール２２、２４は、実質的に細胞外の磁性剤を有さない、細胞内の磁性剤の種々の濃度を含む、いくつかのファントムに関して、かつ、実質的に細胞内の磁性剤を有さない、細胞外の磁性剤の種々の濃度を含む、いくつかのファントムに関して、Ｒ２及びＲ２＊を測定するよう使用される。これらの測定は：（ｉ）細胞内の磁性剤に関する基準Ｒ２緩和曲線（ｒｅｆｅｒｅｎｅｃｅ  Ｒ２  ｒｅｌａｘｉｖｉｔｙ  ｃｕｒｖｅ）；
（ｉｉ）細胞内の磁性剤に関する基準Ｒ２＊緩和曲線（ｒｅｆｅｒｅｎｅｃｅ  Ｒ２＊  ｒｅｌａｘｉｖｉｔｙ  ｃｕｒｖｅ）；（ｉｉｉ）細胞外の磁性剤に関する基準Ｒ２緩和曲線；及び（ｉｖ）細胞外の磁性剤に関する基準Ｒ２＊緩和曲線を含む較正データ２６を生成するよう使用される。
【００１８】
例えば、実際に実行された較正において、６つのファントムが、較正データ２６を生成するために使用された。６つのファントムは、各々が、シリンダー形状のガラスチューブ内の蒸留水中に浸漬された１ｍｌ  １％アガロースゲルで満たされた、６つのバイアルであった。バイアルの３つは、異なる濃度のフリーの（ｆｒｅｅ）ＳＰＩＯ（フェルモキシデス（ｆｅｒｕｍｏｘｉｄｅｓ）で希釈された）を含んでいた。バイアルの３つは、異なる濃度の、ＳＰＩＯ標識付けられたＣ６グリオーマ細胞を含んでいた。これら６つの「純粋な」バイアルは、較正緩和曲線２６を生成するために使用された。
【００１９】
６つのファントムのバイアルの各々は、サブモジュール２２、２４を使用して測定された。これらの説明的なＭＲ断層撮像は、４ｃｍの受信のみの無線周波数コイル（Ｐｈｉｌｉｐｓ  Ｒｅｓｅａｒｃｈ  Ｅｕｒｏｐｅ，  Ｈａｍｂｕｒｇ，  Ｇｅｒｍａｎｙ）と３Ｔ  ｃｌｉｎｉｃａｌ  ＡｃｈｉｅｖａＴＭ  ｓｃａｎｎｅｒ（Ａｃｈｉｅｖａ，  Ｐｈｉｌｉｐｓ  Ｈｅａｌｔｈｃａｒｅ，  Ｔｈｅ  Ｎｅｔｈｅｒｌａｎｄｓ）を使用して実行された。ＭＲイメージは、７０ｍｍ×７０ｍｍの視野（ＦＯＶ）、スライス厚＝１ｍｍ、データマトリックス＝１２８×１２８、ＮＥＸ＝２で取得された。Ｒ２＊マップは、マルチグラディエントエコーシーケンス（ｍｕｌｔｉｐｌｅ  ｇｒａｄｉｅｎｔ  ｅｃｈｏ  ｓｅｑｕｅｎｃｅ）：ＴＲ＝９００ｍｓ、ｆｉｒｓｔ  ＴＥ／ｄｅｌｔａＴＥ＝２．８ｍｓ／１．８ｍｓ、フリップ角＝３０度、２５エコー、で取得された。Ｒ２マップは、ターボスピンエコーシーケンス（ｔｕｒｂｏ  ｓｐｉｎ  ｅｃｈｏ  ｓｅｑｕｅｎｃｅ）：ＴＲ＝１０００ｍｓ、ｆｉｒｓｔ  ＴＥ／ｄｅｌｔａＴＥ＝７ｍｓ／７ｍｓ、２０エコー、で取得された。これらは、単に説明的なスキャンパラメータであり、Ｒ２及びＲ２＊データを取得するための、実質的に如何なる他のスキャン構成も適切である。
【００２０】
続けて図１を参照し、図２を更に参照して、細胞内のＳＰＩＯだけを含む又は細胞外のＳＰＩＯだけを含む、各々の「純粋な」構成のファントムに関する、Ｒ２及びＲ２＊値が、決定された。ＳＰＩＯで標識付けられた細胞を有する３つのファントムのバイアルから得られた３つのＲ２値が、細胞内のＳＰＩＯに関するＲ２緩和曲線を生成するために適合された。ＳＰＩＯで標識付けられた細胞を有する３つのファントムのバイアルから得られた３つのＲ２＊値が、細胞内のＳＰＩＯに関するＲ２＊緩和曲線を生成するために適合された。フリーのＳＰＩＯを有する３つのファントムのバイアルから得られた３つのＲ２値が、細胞外のＳＰＩＯに関するＲ２緩和曲線を生成するために適合された。フリーのＳＰＩＯを有する３つのファントムのバイアルから得られた３つのＲ２＊値が、細胞外のＳＰＩＯに関するＲ２＊緩和曲線を生成するために適合された。これらの適合において、Ｒ２（又はＲ２＊）と、細胞内の（又は細胞外の）濃度との間の直線関係が仮定された。結果である緩和曲線は図２に示される。
【００２１】
図２は、細胞外のＳＰＩＯのファントムのバイアルが、同じようなＲ２及びＲ２＊緩和能を有することを示す。具体的には、細胞外のＳＰＩＯに関して、Ｒ２基準緩和曲線は、３．００（μｇ／ｍｌ）−１ｓ−１の傾きを有し、一方、Ｒ２＊基準緩和曲線は、３．７０（μｇ／ｍｌ）−１ｓ−１の傾きを有する。明確な対照として、細胞内のＳＰＩＯのＲ２及びＲ２＊緩和能は、大きく異なる。具体的には、Ｒ２基準緩和曲線は、０．６５（μｇ／ｍｌ）−１ｓ−１の傾きを有し、一方、Ｒ２＊基準緩和曲線は、８．２４（μｇ／ｍｌ）−１ｓ−１の傾きを有する。
【００２２】
結果として、細胞内及び細胞外の磁気標識付加剤の未知の混合物に関して、もしＲ２及びＲ２＊値が類似しているなら、このことは、サンプルが大部分がフリーである又は細胞外の磁気標識付加剤であることを示し、一方、Ｒ２値がＲ２＊値よりずっと小さいなら、このことは、サンプルが大部分が化合している又は細胞内の磁気標識付加剤であるということを示す。
【００２３】
細胞内の磁性剤及び細胞外の磁性剤の所定の混合物に関して、（スピンエコーといった）Ｔ２強調エコーに関するＭＲ信号の減衰（ｄｅｃａｙ）Ｓ（ｔ）が双指数関数として記述可能である：
Ｓ（ｔ）〜［ｉｎｔｒａ］×ｅｘｐ（−ｔ×Ｒ２（［ｉｎｔｒａ］））＋［ｅｘｔｒａ］×ｅｘｐ（−ｔ×Ｒ２（［ｅｘｔｒａ］））      （１）
式中、［ｉｎｔｒａ］及び［ｅｘｔｒａ］は、各々、細胞内及び細胞外の磁性標識付加剤の濃度であり、記号「〜」は、比例関係を示す。成分の減衰率Ｒ２（［ｉｎｔｒａ］）及びＲ２（［ｅｘｔｒａ］）は、図２に記載の［ｉｎｔｒａ］及び［ｅｘｔｒａ］の濃度の関数である。同様な方法で、（グラディエントエコーといった）Ｔ２＊強調エコーに関するＭＲ信号の減衰Ｓ（ｔ）が双指数関数として記述可能である：
Ｓ（ｔ）〜［ｉｎｔｒａ］×ｅｘｐ（−ｔ×Ｒ２＊（［ｉｎｔｒａ］））＋［ｅｘｔｒａ］×ｅｘｐ（−ｔ×Ｒ２＊（［ｅｘｔｒａ］））      （２）
式中、この場合も、減衰率Ｒ２＊（［ｉｎｔｒａ］）及びＲ２＊（［ｅｘｔｒａ］）は、図２に記載の［ｉｎｔｒａ］及び［ｅｘｔｒａ］の濃度の関数である。Ｒ２＝１／Ｔ２でＲ２＊＝１／Ｔ２＊であるので、式（１）及び（２）において、減衰率Ｒ２及びＲ２＊は、各々、１／Ｔ２及び１／Ｔ２＊に随意に取り替えることができる。
【００２４】
いくつかの実施形態において、濃度［ｉｎｔｒａ］及び［ｅｘｔｒａ］を定量的に決定するために、細胞内の磁性剤及び細胞外の磁性剤の濃度、［ｉｎｔｒａ］及び［ｅｘｔｒａ］であるフィッティングパラメータと、適切な振幅スケーリングパラメータ（ａｍｐｌｉｔｕｄｅ  ｓｃａｌｉｎｇ  ｐａｒａｍｅｔｅｒ）を用いて、式（１）及び（２）を、細胞内及び細胞外の磁性剤の未知の混合物から得られたＴ２強調及びＴ２＊強調ＭＲ信号に同時に適合することが、熟慮される。しかしながら、そのようなフィッティングのアプローチは、コンピュータ的に困難であり、データ中のノイズに敏感であるかもしれない。
【００２５】
したがって、実際に実行された実施形態において、細胞内及び細胞外のＳＰＩＯの割合の評価は、次の操作を採用するアプローチを使用して決定された。混合物のＲ２＊信号は、単一指数関数の減衰で適合され、したがって、おおよそのＲ２＊値を与えた。その後、排他的にＳＰＩＯで標識付けられた細胞を含む混合物と仮定して、バイアルの第１のパラメータＲ２ｉｎｔｒａＳＰＩＯが、おおよそのＲ２＊に基づいて、細胞内のＳＰＩＯの基準緩和曲線から計算された。言い換えれば、おおよそのＲ２＊値が、図２の右下隅のプロットに入力され、細胞内の鉄濃度推定値を作り出し、それは、その後、Ｒ２ｉｎｔｒａＳＰＩＯのパラメータを生成するために、図２の左下隅のプロットに入力された。
【００２６】
同様の方法で、排他的にフリーのＳＰＩＯを含む混合物と仮定して、バイアルの第２のパラメータＲ２ｅｘｔｒａＳＰＩＯが、おおよそのＲ２＊に基づいて細胞外のＳＰＩＯの基準緩和曲線から計算された。言い換えれば、おおよそのＲ２＊値が、図２の右上隅のプロットに入力され、細胞外の鉄濃度推定値を作り出し、それは、その後、Ｒ２ｅｘｔｒａＳＰＩＯのパラメータを生成するために、図２の左上隅のプロットに入力された。
【００２７】
Ｒ２信号はその後使用された。具体的には、混合物のＲ２信号は、その後、双指数関数減衰モデルで適合された：
Ｓ（ｔ）＝ａ×ｅｘｐ（−ｔ×Ｒ２ｉｎｔｒａＳＰＩＯ）＋ｂ×ｅｘｐ（−ｔ×Ｒ２ｅｘｔｒａＳＰＩＯ）      （３）
ここでは、ａ及びｂだけが未知のパラメータである。細胞内のＳＰＩＯ及び細胞外のＳＰＩＯの割合はその後、適合された割合ａ／ｂとして推定された。この情報は、その後、適合方程式（１）及び／又は（２）内の、適合されたパラメータの数を減らすために使用することができる。別のアプローチにおいて、Ｔ２＊強調信号の単一指数関数の適合により得られたおおよそのＲ２＊は、図２の右下隅のプロットに入力され、細胞内の鉄濃度推定値を生成することができ、それは、細胞内の鉄濃度の改善された推定値を供するために、割合ａ／ｂにより調整される。
【００２８】
図３を参照して、式（１）及び（２）に対する近似解を求めるための、この後者の近似アプローチは、７つのファントムの組を使用して検査された。ファントムは、各々、シリンダー形状のガラスチューブ内の蒸留水中に浸漬された１ｍｌ  １％アガロースゲルで満たされた。検査のために使用された７つのバイアルは、フリーのＳＰＩＯ及びＳＰＩＯで標識付けられた細胞の種々の混合物を、細胞内のＳＰＩＯ及び細胞外のＳＰＩＯの濃度の種々の割合を得るよう調節された比率で、含んでいた。細胞内のＳＰＩＯ及び細胞外のＳＰＩＯの混合物を含むこれら７つのファントムのバイアルの詳細は、表１中に記載されている。較正データ２６を生成するときに使用される「純粋な」ファントムに関して、これらの実例となるＭＲ断層撮影が、４ｃｍの受信のみの無線周波数コイル（Ｐｈｉｌｉｐｓ  Ｒｅｓｅａｒｃｈ  Ｅｕｒｏｐｅ，  Ｈａｍｂｕｒｇ，  Ｇｅｒｍａｎｙ）と３Ｔ  ｃｌｉｎｉｃａｌ  ＡｃｈｉｅｖａＴＭ  ｓｃａｎｎｅｒ（Ａｃｈｉｅｖａ，  Ｐｈｉｌｉｐｓ  Ｈｅａｌｔｈｃａｒｅ，  Ｔｈｅ  Ｎｅｔｈｅｒｌａｎｄｓ）を使用して実行された。ＭＲイメージは、７０ｍｍ×７０ｍｍの視野（ＦＯＶ）、スライス厚＝１ｍｍ、データマトリックス＝１２８×１２８、ＮＥＸ＝２で取得された。Ｒ２＊マップは、マルチグラディエントエコーシーケンス（ｍｕｌｔｉｐｌｅ  ｇｒａｄｉｅｎｔ  ｅｃｈｏ  ｓｅｑｕｅｎｃｅ）：ＴＲ＝９００ｍｓ、ｆｉｒｓｔ  ＴＥ／ｄｅｌｔａＴＥ＝２．８ｍｓ／１．８ｍｓ、フリップ角＝３０度、２５エコー、で取得された。Ｒ２マップは、ターボスピンエコーシーケンス（ｔｕｒｂｏ  ｓｐｉｎ  ｅｃｈｏ  ｓｅｑｕｅｎｃｅ）：ＴＲ＝１０００ｍｓ、ｆｉｒｓｔ  ＴＥ／ｄｅｌｔａＴＥ＝７ｍｓ／７ｍｓ、２０エコー、で取得された。これらは、単に説明的なスキャンパラメータであり、Ｒ２及びＲ２＊データを取得するための、実質的に如何なる他のスキャン構成も適切である。
【００２９】
【表１】
2012521244.tif 000003
７つの異なる混合物の各々における、細胞内のＳＰＩＯ及び細胞外のＳＰＩＯの割合の推定は、次の段階で実行された：（１）各々の混合物のＲ２＊が、単一指数関数の減衰で適合された；（２）排他的にＳＰＩＯで標識付けられた細胞を含んだ混合物と仮定して、バイアルのＲ２intraSPIOが、Ｒ２＊に基づいた細胞内のＳＰＩＯの基準緩和曲線から計算された；（３）同様に、バイアルのR2extraSPIOが、排他的にフリーのＳＰＩＯを含んだ混合物と仮定して、細胞外のＳＰＩＯの基準緩和曲線から計算された；（４）混合物のＲ２のデータが、その後、双指数関数減衰モデル：ａ×ｅｘｐ（−ｔ×Ｒ２ｉｎｔｒａＳＰＩＯ）＋ｂ×ｅｘｐ（−ｔ×Ｒ２ｅｘｔｒａＳＰＩＯ）で適合された；及び（５）細胞内のＳＰＩＯと細胞外のＳＰＩＯとの割合が、ａ／ｂとして推定された。図３に示されるように、これらの基準緩和能から推定された細胞内のＳＰＩＯと細胞外のＳＰＩＯとの推定された割合（ａ／ｂ）は、理論値と非常に優れた線形相関を示した。後者（即ち、理論値）は、標識付けられた細胞の、磁性剤量（load）（およそ３ｐｇ／ｃｅｌｌであると仮定して）に基づいて計算された。これは、変動しがちで、その結果、計算された割合の観察された過大評価を引き起こし得る。
【００３０】
これらは単に、較正データ２６に沿って、対象者のＴ２強調画像及び対象者のＴ２強調画像の両方に基づいて、細胞内の鉄濃度を定量的に評価するための説明的なアプローチである。ここで開示された定量的推定アプローチは、（１）未知の混合物に関して測定されたＲ２及びＲ２＊値並びに（２）図２で示されたような純粋にフリーな磁性剤及び純粋に細胞に結合した磁性剤に関する較正データ２６に基づいた、式（１）及び式（２）のおおよその又は正確な同時解決を伴う。
【００３１】
図１に戻って参照して、述べられた処理は、例えば、ピクセル毎あたりの又はボクセル毎あたりの、各々の空間的位置で実行することができ、定量的細胞濃度マッピングサブモジュール３０は、磁性的に標識付けられた細胞濃度の定量的マップを発生することができる。それは、コンピュー１８のディスプレイ１８ｄ上の細胞濃度出力サブモジュール３２又は他の表示デバイス、印刷デバイス又はそれと同種のものによりイメージとして表示することができる。いくつかの実施形態において、細胞内の／細胞外の濃度割合ａ／ｂは、Ｒ２及びＲ２＊マップの全エリア又は興味のあるエリアに亘って一定であると仮定される。
【００３２】
結果の表示は、種々の形態を取ることができる。あるアプローチにおいて、空間的に平均化された濃度、イメージ内のどこかの最大濃度、又は他の集合した（aggregate）磁気的に標識付けられた細胞濃度は、数値表示、グラフ表示（例えば、集合した細胞濃度に対応する長さの図形のバー）、機械が発する（machine  generated）音声表現、又は対象者内の磁性剤で標識付けられた細胞の定量的評価を示す値に関する、他の、人間が知覚できる表現として適切に出力される。追加的に又は変更的に、他の撮画手段により取得された画像も熟慮されるが、通常、磁気共鳴イメージであり、この表示されたイメージは、対象者内の磁性剤で標識付けられた細胞の定量的評価を示す値に関して、色分けされたマップで覆われている、対象者のイメージが出力されても良い。この後者の表示は、臨床医、内科医又は他の医療関係者に、磁気的に標識付けられた細胞が最も高濃度である（複数の）位置及び磁気的に標識付けられた細胞がまばらに集まった又は完全に見当たらない（複数の）位置を効率的に伝達する手段として役に立つことができる。
【００３３】
本発明は、好ましい実施形態を参照して述べられてきた。修正及び変更は、先立った詳細の説明を読み、理解するときに、他の人は気が付くであろう。本発明は、そのような修正及び変更全てを含むように解釈されるということが意図される。それらが、添付の特許請求の範囲又はそれに相当するものの範囲内で起こる限り。ここまで好ましい実施形態で述べた、本発明は、これよりクレーム化される。
【図１】
2012521244.tif 000004
【図２】
2012521244.tif 000005
【図３】
2012521244.tif 000006
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
対象者の一連のＴ２強調画像を取得する、第１取得段階；
前記対象者の一連のＴ２＊強調画像を取得する、第２取得段階；及び
前記対象者の前記Ｔ２強調画像と前記対象者の前記Ｔ２＊強調画像との両方に基づいて、前記対象者内の磁性剤で標識付けられた細胞の定量的評価を示す値を生成する、第１生成段階；
を含む、対象者内の磁性剤で標識付けられた細胞の定量的評価のための方法。
【請求項２】
前記対象者の画像を出力する段階；及び
該画像を、前記対象者内の前記磁性剤で標識付けられた前記細胞の定量的評価を示す値に関する色分けされたマップで覆う段階；
を更に含む、請求項１に記載の対象者内の磁性剤で標識付けられた細胞の定量的評価のための方法。
【請求項３】
前記対象者に細胞を投与する段階であって、前記細胞は、超常磁性酸化鉄剤で標識付けられる、投与する段階、
を更に含む、請求項１又は２に記載の対象者内の磁性剤で標識付けられた細胞の定量的評価のための方法。
【請求項４】
前記第１取得段階は、前記対象者のＲ２マップを取得する、第３取得段階を含み；
前記第２取得段階は、前記対象者のＲ２＊マップを取得する、第４取得段階を含み；かつ、
第１生成段階の工程は、前記対象者の前記Ｒ２マップ及び前記Ｒ２＊マップの両方に基づいて、前記対象者内の前記磁性剤で標識付けられた前記細胞の定量的評価を示す値を生成する、第２生成段階を含む、
請求項１乃至３のいずれか一項に記載の対象者内の磁性剤で標識付けられた細胞の定量的評価のための方法。
【請求項５】
前記第３取得段階は、スピンエコーシーケンスを使用して、前記対象者の画像を取得する段階を含み、
前記第４取得段階は、グラディエントエコーシーケンスを使用して、前記対象者の画像を取得する段階を含む、
請求項４に記載の対象者内の磁性剤で標識付けられた細胞の定量的評価のための方法。
【請求項６】
第２生成段階は更に、細胞内の前記磁性剤及び細胞外の前記磁性剤に関する、基準Ｒ２緩和曲線及び基準Ｒ２＊緩和曲線を含む、較正データに基づいている、
請求項４又は５に記載の対象者内の磁性剤で標識付けられた細胞の定量的評価のための方法。
【請求項７】
前記第２生成段階は更に、
Ｒ２値と、実質的に細胞外の前記磁性剤を有さない、細胞内の前記磁性剤に関する細胞内の磁性剤濃度と、の関係、
Ｒ２＊値と、実質的に細胞外の前記磁性剤を有さない、細胞内の前記磁性剤に関する細胞内の磁性剤濃度と、の関係、
Ｒ２値と、実質的に細胞内の前記磁性剤を有さない、細胞外の前記磁性剤に関する細胞外の磁性剤濃度と、の関係、及び
Ｒ２＊値と、実質的に細胞内の前記磁性剤を有さない、細胞外の前記磁性剤に関する細胞外の磁性剤濃度と、の関係、
を含む較正データに基づいている、
請求項４乃至６のいずれか一項に記載の対象者内の磁性剤で標識付けられた細胞の定量的評価のための方法。
【請求項８】
種々の濃度の、実質的に混じり気なく細胞内の前記磁性剤を有し、かつ、種々の濃度の、実質的に混じり気なく細胞外の前記磁性剤を有する、複数の、較正のためのファントムに関する、Ｒ２及びＲ２＊測定に基づいて、前記較正データを生成する段階：
を更に含む、請求項６又は７に記載の対象者内の磁性剤で標識付けられた細胞の定量的評価のための方法。
【請求項９】
前記較正データに更に基づいた、前記第２生成段階は、
前記対象者のＲ２マップと前記対象者のＲ２＊マップとの両方に基づき、更に前記較正データに基づいて、細胞内の磁性剤濃度を推定する段階；及び
該細胞内の磁性剤濃度を、前記の磁気的に標識付けられた細胞の前記磁性剤量に基づいて、細胞濃度に変換する段階；
を含む、請求項６乃至８のいずれか一項に記載の対象者内の磁性剤で標識付けられた細胞の定量的評価のための方法。
【請求項１０】
前記第１生成段階は、
前記対象者のＴ２強調画像と前記対象者のＴ２＊強調画像との両方に基づき、かつ、細胞外の前記磁性剤に関する、Ｒ２とＲ２＊との間の所定の相対的類似性及び細胞内の前記磁性剤に関する、Ｒ２とＲ２＊との間の所定の相対的な非類似性に基づいて、
前記対象者内の前記磁性剤で標識付けられた前記細胞の定量的評価を示す値を生成する、
請求項１乃至９のいずれか一項に記載の対象者内の磁性剤で標識付けられた細胞の定量的評価のための方法。
【請求項１１】
磁気共鳴イメージングシステムに、請求項１乃至１０のいずれか一項に記載の方法を実行させることを実行可能にする命令を記憶している、デジタル記憶媒体。
【請求項１２】
磁気共鳴イメージングシステム；及び
該磁気共鳴イメージングシステムに、Ｔ２強調画像及びＴ２＊強調画像の両方を取得させるよう構成され、前記Ｔ２強調画像及び前記Ｔ２＊強調画像の両方に基づいて、対象者内の磁性剤で標識付けられた細胞の定量的評価を示す値を生成するよう更に構成された、処理装置；
を含む、対象者内の磁性剤で標識付けられた細胞の定量的評価のためのシステム。
【請求項１３】
前記処理装置は、前記Ｔ２強調画像と前記Ｔ２＊強調画像との両方に基づいて、かつ、（ｉ）Ｒ２と、細胞内の前記磁性剤で標識付けられた濃度と、（ｉｉ）Ｒ２＊と、細胞内の前記磁性剤で標識付けられた濃度と、（ｉｉｉ）Ｒ２と、細胞外の前記磁性剤で標識付けられた濃度と、（ｉｖ）Ｒ２＊と、細胞外の前記磁性剤で標識付けられた濃度と、の間の所定の関係に更に基づいて、前記対象者内の前記磁性剤で標識付けられた細胞の定量的評価を示す値を生成するよう構成される、請求項１２に記載の対象者内の磁性剤で標識付けられた細胞の定量的評価のためのシステム。
【請求項１４】
前記処理装置は、前記Ｔ２強調画像と前記Ｔ２＊強調画像との両方に基づいて、かつ、（ｉ）細胞外の前記磁性剤に関する、Ｒ２とＲ２＊との間の比較的小さい相違及び（ｉｉ）細胞内の前記磁性剤に関する、Ｒ２とＲ２＊との間の比較的大きい相違の定量的情報に更に基づいて、前記対象者内の前記磁性剤で標識付けられた細胞の定量的評価を示す値を生成するよう構成される、請求項１２又は１３に記載の対象者内の磁性剤で標識付けられた細胞の定量的評価のためのシステム。
【請求項１５】
前記処理装置は、
Ｓ（ｔ）〜［ｉｎｔｒａ］×ｅｘｐ（−ｔ×Ｒ２（［ｉｎｔｒａ］））＋［ｅｘｔｒａ］×ｅｘｐ（−ｔ×Ｒ２（［ｅｘｔｒａ］））、及び
Ｓ（ｔ）〜［ｉｎｔｒａ］×ｅｘｐ（−ｔ×Ｒ２＊（［ｉｎｔｒａ］））＋［ｅｘｔｒａ］×ｅｘｐ（−ｔ×Ｒ２＊（［ｅｘｔｒａ］））、
の関係を少なくとも近似的に解くことにより、
前記Ｔ２強調画像及び前記Ｔ２＊強調画像の両方に基づいて、前記対象者内の前記磁性剤で標識付けられた細胞の定量的評価を示す値を生成するよう構成される、請求項１２乃至１４のいずれか一項に記載の対象者内の磁性剤で標識付けられた細胞の定量的評価のためのシステム。
（式中、［ｉｎｔｒａ］及び［ｅｘｔｒａ］は、各々、細胞内及び細胞外の標識付けする磁性剤の濃度であり、
Ｒ２（［ｉｎｔｒａ］）及びＲ２＊（［ｉｎｔｒａ］）は細胞内の磁性剤に関する実質的に混じり気のないサンプルから得られた基準緩和曲線であり、
Ｒ２（［ｅｘｔｒａ］）及びＲ２＊（［ｅｘｔｒａ］）は細胞外の磁性剤に関する実質的に混じり気のないサンプルから得られた基準緩和曲線である）
【国際調査報告】
2012521244.tif 000007
2012521244.tif 000008
2012521244.tif 000009
2012521244.tif 000010
2012521244.tif 000011